(57)【要約】【課題】リレー音の大きさを低減する。【解決手段】電池装置１０はリレー１８と補機用バスバ１２とを有する。リレー１８を筐体１３の外表面に防振材２１を介して固定する。補機用バスバ１２は第１の端子部２７と第２の端子部２８とを有する。第１の端子部２７はリレー１８の接点端子２３に接続する。第２の端子部２８は第１の端子部２７に電気的に結合する。第２の端子部２８は第１の端子部２７の高さ位置とは異なる高さ位置で接点端子２３以外の端子に接続する。【選択図】図１
2019192409.tif 000002
【特許請求の範囲】
【請求項１】
筐体の外表面に防振材を介して固定されているリレーと、
前記リレーの接点端子に接続される平板状の第１の端子部と、前記第１の端子部に電気的に結合し、前記筐体の表面に対する前記接点端子の高さ位置とは異なる高さ位置で前記接点端子以外の端子に接続される第２の端子部とを有する補機用バスバと、を備える。
電池装置。
【請求項２】
請求項１に記載の電池装置において、
前記補機用バスバは、少なくとも第１の方向に平行な第１の平板部と、該第１の平板部の第１の方向側の辺において該第１の平板部に交差する第２の平板部と、前記第１の平板部と直結せず且つ前記第２の平板部のいずれかの辺から前記第１の方向の逆方向に延びる部分を少なくとも含む第３の平板部とを含む連結部を、さらに有し、
前記第１の端子部は、前記第１の平板部側から、該第１の平板部および前記第２の平板部の接合部分以外の部分において、前記連結部に電気的に結合し、
前記第２の端子部は、前記第３の平板部側から、該第３の平板部および前記第２の平板部の接合部分以外の部分側において、前記連結部に電気的に結合する
電池装置。
【請求項３】
少なくとも第１の方向に平行な第１の平板部と、該第１の平板部の第１の方向側の辺において該第１の平板部に交差する第２の平板部と、前記第１の平板部と直結せず且つ前記第２の平板部のいずれかの辺から前記第１の方向の逆方向に延びる部分を少なくとも含む第３の平板部と、を有する連結部と、
前記第１の平板部側から、該第１の平板部および前記第２の平板部の接合部分以外の部分において、前記連結部に電気的に結合する平板状の第１の端子部と、
前記第３の平板部側から、該第３の平板部および前記第２の平板部の接合部分以外の部分側において、前記連結部に電気的に結合する平板状の第２の端子部と、を備える
バスバ。
【請求項４】
請求項３に記載のバスバにおいて、
前記第３の平板部は、前記第１の平板部に対して非平行である
バスバ。
【請求項５】
請求項３または４に記載のバスバにおいて、
前記第１の端子部および前記第２の端子部は、平行である
バスバ。
【請求項６】
請求項３または４に記載のバスバにおいて、
前記第１の端子部および前記第２の端子部は、非平行である
バスバ。
【請求項７】
請求項３または５に記載のバスバにおいて、
前記第１の平板部は、板面における前記第１の方向に垂直な第２の方向側の末端において、同一平面上の前記第１の端子部に直結し、
前記第３の平板部は、前記第１の方向の逆方向側において、同一平面上の前記第２の端子部に直結する
バスバ。
【請求項８】
請求項３から５のいずれか１項に記載のバスバにおいて、
前記第１の平板部は、板面における前記第１の方向に垂直な第２の方向側の辺から前記第２の平板部と同じ方向に延び且つ前記第２の方向に垂直な第４の平板部を介して、前記第１の平板部に平行な前記第１の端子部に結合し、
前記第２の平板部は、前記第１の平板部から、前記第１の方向および前記第２の方向に垂直な第３の方向に延びており、
前記第３の平板部は、前記第２の平板部の前記第２の方向側の辺において前記第２の平板部と直交し、且つ前記第１の平板部に対して垂直であり、
前記第３の平板部は、前記第１の方向の逆方向側の末端近傍において前記第３の方向の逆方向側の辺から前記第２の方向の逆方向に延び且つ前記第３の方向に垂直な第５の平板部に直結し、
前記第５の平板部は、前記第２の方向の逆方向側の辺から前記第３の方向に延び且つ前記第２の方向に垂直な第６の平板部を介して、前記第３の方向に垂直な前記第２の端子部に結合する
バスバ。
【請求項９】
請求項３から５のいずれか１項に記載のバスバにおいて、
前記第１の平板部は、板面における前記第１の方向に垂直な第２の方向側の辺から前記第２の平板部とは逆の方向に延び且つ前記第２の方向に垂直な前記第１の端子部に直結し、
前記第２の平板部は、前記第１の平板部から、前記第１の方向および前記第２の方向に垂直な第３の方向に延びており
前記第３の平板部は、前記第２の平板部の前記第２の方向側の辺において前記第２の平板部と直交し、且つ前記第１の平板部に対して垂直であり、
前記第３の平板部は、前記第１の方向の逆方向側の辺から前記第２の方向の逆方向に延び且つ前記第１の方向に垂直な第７の平板部を介して、前記第２の方向に垂直な前記第２の端子部に結合する
バスバ。
【発明の詳細な説明】
【技術分野】
【０００１】
本発明は、電池装置およびバスバに関するものである。
【背景技術】
【０００２】
例えば、車両用の電池装置は、セル、およびリレーなどの補機を含んで構成されている。セル同士の電気的な接続（特許文献１参照）、セルおよび補機の電気的な接続、および補機同士の電気的な接続にバスバが用いられている。
【先行技術文献】
【特許文献】
【０００３】
【特許文献１】特開２０１３−０１２４６４号公報
【発明の概要】
【発明が解決しようとする課題】
【０００４】
電池装置においては、通電および遮断の切替時に発するリレー音を低減させることが求められている。リレーは、バスバを介して他の部品に機械的に接続されるので、バスバがリレー音を伝達することもある。
【０００５】
かかる事情に鑑みてなされた本発明の目的は、リレー音の大きさを低減する電池装置およびバスバを提供することにある。
【課題を解決するための手段】
【０００６】
上記課題を解決するために本発明の第１の観点に係る車両用の電池装置は、
筐体の外表面に防振材を介して固定されているリレーと、
前記リレーの接点端子に接続される平板状の第１の端子部と、前記第１の端子部に電気的に結合し、前記筐体の表面に対する前記接点端子の高さ位置とは異なる高さ位置で前記接点端子以外の端子に接続される第２の端子部とを有する補機用バスバと、を備える。
【０００７】
上記課題を解決するために本発明の第２の観点に係るバスバは、
少なくとも第１の方向に平行な第１の平板部と、該第１の平板部の第１の方向側の辺において該第１の平板部に交差する第２の平板部と、前記第１の平板部と直結せず且つ前記第２の平板部のいずれかの辺から前記第１の方向の逆方向に延びる部分を少なくとも含む第３の平板部と、を有する連結部と、
前記第１の平板部側から、該第１の平板部および前記第２の平板部の接合部分以外の部分において、前記連結部に電気的に結合する平板状の第１の端子部と、
前記第３の平板部側から、該第３の平板部および前記第２の平板部の接合部分以外の部分側において、前記連結部に電気的に結合する平板状の第２の端子部と、を備える。
【発明の効果】
【０００８】
本発明によれば、リレー音の大きさを低減する電池装置およびバスバを提供可能である。
【図面の簡単な説明】
【０００９】
【図１】本発明の第１の実施形態に係る電池装置の外観を示す斜視図である。
【図２】図１の電池装置の概略構成を示す機能ブロック図である。
【図３】図１の電池装置の上面図である。
【図４】図１の第１のバスバの外観を示す斜視図である。
【図５】図１の第３のバスバの外観を示す斜視図である。
【図６】第２の実施形態に係る第１のバスバの外観を示す斜視図である。
【図７】第２の実施形態に係る第３のバスバの外観を示す斜視図である。
【図８】図４の第１のバスバの変形例の外観を示す斜視図である。
【図９】図５の第３のバスバの変形例の外観を示す斜視図である。
【図１０】図５の第３のバスバの別の変形例の外観を示す斜視図である。
【図１１】図５の第３のバスバの別の変形例の外観を示す斜視図である。
【図１２】図４の第１のバスバの別の変形例の外観を示す斜視図である。
【図１３】図４の第１のバスバの別の変形例の外観を示す斜視図である。
【図１４】図４の第１のバスバの別の変形例の外観を示す斜視図である。
【図１５】図４の第１のバスバの別の変形例の外観を示す斜視図である。
【図１６】図５の第３のバスバの別の変形例の外観を示す斜視図である。
【図１７】図１の第２のバスバの外観を示す斜視図である。
【図１８】図１７の第２のバスバの変形例の外観を示す斜視図である。
【図１９】図１７の第２のバスバの別の変形例の外観を示す斜視図である。
【図２０】図１７の第２のバスバの別の変形例の外観を示す斜視図である。
【図２１】図１７の第２のバスバの別の変形例の外観を示す斜視図である。
【発明を実施するための形態】
【００１０】
以下、本発明を適用した電池装置の実施形態について、図面を参照して説明する。
【００１１】
図１に示すように、本発明の第１の実施形態に係る電池装置１０は、リレー部１１および補機用バスバ１２を含む。電池装置１０は、さらに、筐体１３、ヒュージブルリンク１４、および出力端子用バスバ１５を含む。
【００１２】
リレー部１１は、少なくとも１つのリレーを含む。リレー部１１は、具体的には、第１のリレー１６および第２のリレー１７を有する。以下の説明において、第１のリレー１６および第２のリレー１７を特に区別しない限り、リレー１８と記載する。なお、リレー部１１は、３個以上のリレーを有してもよい。
【００１３】
図２に示すように、リレー１８は、組電池１９に直列に接続されている。具体的には、組電池１９、第１のリレー１６、および第２のリレー１７は、この順番で直列に接続されている。なお、第１のリレー１６、組電池１９、および第２のリレー１７は、この順番で直列に接続されてもよい。
【００１４】
リレー１８は、コントローラ２０の制御に基づいて、遮断状態と通電状態とを切替える。電池装置１０は、第１のリレー１６および第２のリレー１７の少なくとも一方を遮断状態に切替えることにより、電力の出力を停止する。電池装置１０は、第１のリレー１６および第２のリレー１７を通電状態に切替えることにより、電力を出力する。
【００１５】
図１に示すように、リレー１８は、筐体１３の外表面に、防振材２１を介して固定されている。防振材２１は、例えば、ポリウレタンのように弾性を有する材料で形成されている。防振材２１の固定のために、筐体１３の外表面に、例えば、略矩形の枠２２が形成されている。枠２２の一部には、リレー１８のコイル端子と接続する信号線または補機用バスバ１２などを挿通させる切欠きが形成されている。防振材２１は全体が直方体形状で、枠２２に嵌込まれている。リレー１８を防振材２１に形成される陥凹部に嵌込むことにより、筐体１３は、防振材２１を介してリレー１８を固定する。
【００１６】
筐体１３は、具体的には、全体的に略直方体形状である。筐体１３の外表面において面積が最大である面が底面に定められ、底面の反対側の面が上面ｕｓに定められている。第１のリレー１６および第２のリレー１７は、具体的には、筐体１３の上面ｕｓに設けられている。なお、第１のリレー１６および第２のリレー１７の少なくとも一方は、筐体１３の上面ｕｓ以外の外表面に設けられていてもよい。
【００１７】
図３に示すように、第１のリレー１６および第２のリレー１７が、例えば、筐体１３の上面ｕｓの長辺方向に沿って並ぶように配置されている。第１のリレー１６は、例えば、２つの接点端子２３同士を結ぶ方向が長辺方向に垂直となるように配置されている。第２のリレー１７は、例えば、２つの接点端子２３同士を結ぶ方向が長辺方向に平行となるように配置されている。なお、第１のリレー１６は、２つの接点端子２３同士を結ぶ方向が短辺方向と交差するように配置されていてもよい。第２のリレー１７は、２つの接点端子２３同士を結ぶ方向が短辺方向と交差するように配置されていてもよい。
【００１８】
図１に示すように、補機用バスバ１２は、リレー１８の一方の接点端子２３に接続されている。補機用バスバ１２は、具体的には、第１のバスバ２４、第２のバスバ２５、および第３のバスバ２６を含む。第１のバスバ２４は、組電池１９および第１のリレー１６を電気的に接続する。第２のバスバ２５は、第１のリレー１６および第２のリレー１７を電気的に接続する。第３のバスバ２６は、第２のリレー１７およびヒュージブルリンク１４を電気的に接続する。
【００１９】
補機用バスバ１２は、例えば、銅、アルミニウムなどの剛性および電導性の大きな材料によって形成されている。補機用バスバ１２は、以下に説明するように、複数の、平板状の部分によって構成されており、板厚は、振動を減衰させ得る、例えば、１ｍｍ〜３ｍｍの厚さである。
【００２０】
補機用バスバ１２は、第１の端子部２７および第２の端子部２８を有する。第１の端子部２７および第２の端子部２８は、例えば、連結部２９と結合することにより、互いに電気的に結合される。第１の端子部２７は、平板状であって、リレー１８の接点端子２３に接続されている。第２の端子部２８は、平板状であって、第１の端子部２７とは異なる高さ位置で、当該リレー１８の接点端子２３以外の端子に接続されている。高さ位置は、筐体１３の外表面を基準とする。したがって、第１の端子部２７の板面に垂直な方向における、第２の端子部２８の当該端子との接続位置は、第１の端子部２７の接点端子２３との接続位置と異なる。
【００２１】
例えば、筐体１３が、補機用バスバ１２に接続される１組の端子の外表面からの高さ位置を相違させる。筐体１３は、具体的には、第１のリレー１６および第２のリレー１７の接点端子２３の外表面からの高さ位置が相違するように、第１のリレー１６および第２のリレー１７を保持する。筐体１３は、具体的には、第１のリレー１６の接点端子２３、および、組電池１９の第１の出力端子３０の外表面からの高さ位置が相違するように、第１のリレー１６を保持する。筐体１３は、具体的には、第２のリレー１７の接点端子２３およびヒュージブルリンク１４の端子の外表面からの高さ位置が相違するように、第２のリレー１７およびヒュージブルリンク１４を保持する。
【００２２】
第１の端子部２７および第２の端子部２８は、具体的には、互いに平行である。なお、第１の端子部２７および第２の端子部２８の接続位置の関係から、第１の端子部２７および第２の端子部２８は同一平面上に無い。なお、第１の端子部２７および第２の端子部２８は、互いに非平行であってもよい。
【００２３】
第１のバスバ２４の第１の端子部２７および第２の端子部２８は、それぞれ、第１のリレー１６の一方の接点端子２３および組電池１９の第１の出力端子３０に接続されている。第２のバスバ２５の第１の端子部２７および第２の端子部２８は、それぞれ、第１のリレー１６の他方の接点端子２３および第２のリレー１７の一方の接点端子２３に接続されている。第３のバスバ２６の第１の端子部２７および第２の端子部２８は、それぞれ、第２のリレー１７の他方の接点端子２３およびヒュージブルリンク１４の一方の端子に接続されている。組電池１９は、コントローラ２０とともに筐体１３内部に収容されている。組電池１９の第１の出力端子３０は、筐体１３の一部に穿設された孔から露出する。
【００２４】
リレー１８の接点端子２３、ヒュージブルリンク１４の端子、および組電池１９の第１の出力端子３０は平面形状を有する。第１の端子部２７は、リレー１８の接点端子２３に面接触する。第１のバスバ２４、第２のバスバ２５、および第３のバスバ２６の第２の端子部２８は、それぞれ組電池１９の第１の出力端子３０、第２のリレー１７の接点端子２３、およびヒュージブルリンク１４の端子に面接触する。
【００２５】
第１の端子部２７およびリレー１８の接点端子２３の接合のために、第１の端子部２７および接点端子２３には、例えば、孔が穿設されている。筐体１３の上面ｕｓにおけるリレー１８の接点端子２３が配置される孔の位置には、雌ネジが形成されている。
【００２６】
第２の端子部２８と、組電池１９の第１の出力端子３０、第１のリレー１６の接点端子２３、およびヒュージブルリンク１４の端子のいずれかとの接合のために、第２の端子部２８、組電池１９の第１の出力端子３０、第１のリレー１６の接点端子２３、およびヒュージブルリンク１４の端子には、例えば、孔が穿設されている。筐体１３の上面ｕｓにおける、第１の出力端子３０、第１のリレー１６の接点端子２３、およびヒュージブルリンク１４が配置される孔の位置には、雌ネジが形成されている。
【００２７】
第１のバスバ２４は、第１の端子部２７および第２の端子部２８それぞれの孔が第１のリレー１６の一方の接点端子２３および組電池１９の第１の出力端子３０の孔に重なるように載置されている。この状態で、筐体１３の雌ネジに同一方向から雄ネジを締結することにより、第１の端子部２７および第２の端子部２８は、それぞれ第１のリレー１６の一方の接点端子２３および組電池１９の第１の出力端子３０に接合する。第１の端子部２７および第２の端子部２８が非平行である構成においては、第１の端子部２７および第２の端子部２８の位置において筐体１３の雌ネジに別方向から雄ネジを締結することにより、第１の端子部２７および第２の端子部２８は、それぞれ第１のリレー１６の一方の接点端子２３および組電池１９の第１の出力端子３０に接合する。
【００２８】
第２のバスバ２５は、第１の端子部２７および第２の端子部２８それぞれの孔が第１のリレー１６の他方の接点端子２３および第２のリレー１７の一方の接点端子２３それぞれの孔に重なるように載置されている。この状態で、筐体１３の雌ネジに雄ネジを締結することにより、第１の端子部２７および第２の端子部２８は、それぞれ第１のリレー１６の他方の接点端子２３および第２のリレー１７の一方の接点端子２３に接合する。第１の端子部２７および第２の端子部２８が非平行である構成においては、第１の端子部２７および第２の端子部２８の位置において筐体１３の雌ネジに別方向から雄ネジを締結することにより、第１の端子部２７および第２の端子部２８は、それぞれ第１のリレー１６の他方の接点端子２３および第２のリレー１７の一方の接点端子２３に接合する。
【００２９】
第３のバスバ２６は、第１の端子部２７および第２の端子部２８それぞれの孔が第２のリレー１７の他方の接点端子２３およびヒュージブルリンク１４の一方の端子それぞれの孔に重なるように載置されている。この状態で、筐体１３の雌ネジに雄ネジを締結することにより、第１の端子部２７および第２の端子部２８は、それぞれ第２のリレー１７の他方の接点端子２３およびヒュージブルリンク１４の一方の端子に接合する。第１の端子部２７および第２の端子部２８が非平行である構成においては、第１の端子部２７および第２の端子部２８の位置において筐体１３の雌ネジに別方向から雄ネジを締結することにより、第１の端子部２７および第２の端子部２８は、それぞれ第２のリレー１７の他方の接点端子２３およびヒュージブルリンク１４の一方の端子に接合する。
【００３０】
ヒュージブルリンク１４の他方の端子は、出力端子用バスバ１５により電池装置１０の第１の出力端子３１に電気的に接続されている。ヒュージブルリンク１４は、大電流通電時のジュール熱に伴う昇温により溶断する。組電池１９の第２の出力端子３２は、出力端子用バスバ１５により電池装置１０の第２の出力端子３３に電気的に接続されている。
【００３１】
図４、５にそれぞれ示す第１のバスバ２４および第３のバスバ２６のように、補機用バスバ１２の少なくとも一部の連結部２９は、第１の平板部３４、第２の平板部３５、および第３の平板部３６を有する。第１の平板部３４、第２の平板部３５、および第３の平板部３６は、平板状である。
【００３２】
第１の平板部３４および第３の平板部３６の板面に平行な方向が、第１の方向に定められている。したがって、第１の平板部３４の板面は、少なくとも第１の方向に平行である。第１の平板部３４の板面における第１の方向に垂直な方向が第２の方向に定められている。第１の平板部３４は、例えば、第１の方向および第２の方向に平行な辺を有する略矩形である。
【００３３】
第２の平板部３５は、第１の平板部３４の第１の方向側の辺のいずこかにおいて第１の平板部３４に交差する。第２の平板部３５は、具体的には、第１の平板部３４に直交する。したがって、第２の平板部３５は、第１の平板部３４の第１の方向側の辺から、第１の方向および第２の方向に垂直な第３の方向に延びている。第２の平板部３５は、例えば、第２の方向および第３の方向に平行な辺を有する略矩形である。第２の平板部３５の第１の平板部３４における交差位置は、具体的には、第１の平板部３４の第１の方向側の辺の、第２の方向の逆方向側末端近傍の一部である。なお、第２の平板部３５は、第１の平板部３４に対して傾斜してもよい。第２の平板部３５の第１の平板部３４における交差位置は、第１の平板部３４の第１の方向側の辺全体であってもよい。
【００３４】
第３の平板部３６は、第１の平板部３４とは直結しない。第３の平板部３６は、第２の平板部３５のいずれかの辺から、第１の方向の逆方向に延びる部分を少なくとも有する。第３の平板部３６は、矩形である第２の平板部３５において、第１の平板部３４とは異なる辺から、第１の方向の逆方向に延びている。第３の平板部３６は、具体的には、第１の平板部３４に平行である。第３の平板部３６は、例えば、第１の方向および第２の方向に平行な辺を有する略矩形であってよい。または、第３の平板部３６は、第１の方向に長辺を有する矩形部分と、第２の方向に長辺を有する矩形部分を連結させたＬ字形状であってよい。
【００３５】
第１の端子部２７は、第１の平板部３４側から連結部２９に電気的に結合する。第１の端子部２７は、第１の平板部３４および第２の平板部３５の接合部分以外の部分において、連結部２９に結合する。第１の端子部２７は、具体的には、同一平面上に存在する第１の平板部３４の第２の方向側の末端において、第１の平板部３４に直結する。
【００３６】
第２の端子部２８は、第３の平板部３６側から、連結部２９に電気的に結合する。第２の端子部２８は、第３の平板部３６および第２の平板部３５の接合部分以外の部分において、連結部２９に結合する。第２の端子部２８は、具体的には、同一平面上に存在する第３の平板部３６の第１の方向の逆方向側において、第３の平板部３６に直結する。図４に示すように、第１のバスバ２４において、第２の端子部２８は、より具体的には、第３の平板部３６の第１の方向の逆方向側の末端で第２の方向の逆方向側に折れ曲がった末端において、第３の平板部３６に直結する。図５に示すように、第３のバスバ２６において、第２の端子部２８は、より具体的には、第３の平板部３６の第１の方向の逆方向側の末端において、第３の平板部３６に直結する。
【００３７】
以上のような第１の実施形態に係る電池装置１０は、筐体１３の外表面に防振材２１を介して固定されているリレー１８と、リレー１８の接点端子２３に接続される第１の端子部２７および第１の端子部２７とは異なる高さ位置で当該接点端子２３以外の端子に接続される第２の端子部２８を有する補機用バスバ１２を含む。電池装置１０は、防振材２１を介して筐体１３にリレー１８が固定されているので、遮断状態および通電状態の切替え時にリレー１８に発する振動を減衰させ得る。また、電池装置１０は、第１の端子部２７および第２の端子部２８が異なる高さ位置で接続されているので、第１の端子部２７および第２の端子部２８を同一平面上で接続させる構成に比べて、補機用バスバ１２の電導経路に沿った第１の端子部２７および第２の端子部２８の間隔を長尺化し得る。したがって、電池装置１０は、従来のバスバに比べて長尺化された補機用バスバ１２により、リレー１８が発する振動を他の端子に伝達する間に、より大きく減衰させ得る。このように、電池装置１０は、リレー１８が発する振動を減衰させるので、振動に伴うリレー音の大きさを低減し得る。
【００３８】
また、第１の実施形態に係る電池装置１０では、補機用バスバ１２は、連結部２９、平板状の、第１の端子部２７、および第２の端子部２８を含む。連結部２９は、第１の平板部３４、第２の平板部３５、および第３の平板部３６を有する。第２の平板部３５は、第１の平板部３４の第１の方向側の辺において第１の平板部３４に交差する。第３の平板部３６は、第１の平板部３４に直結せず且つ第２の平板部３５のいずれかの辺から第１の方向の逆方向に延びる部分を少なくとも含む。このような構成により、電池装置１０において、第１の平板部３４および第３の平板部３６は、第１の平板部３４の板面に垂直な方向から見て、第１の方向において重なり得る。したがって、電池装置１０では、重なる長さの分、補機用バスバ１２の電導経路に沿った第１の端子部２７および第２の端子部２８の間隔をさらに長尺化し得る。それゆえ、電池装置１０は、さらなる長尺化した部分で振動を減衰し得るので、振動に伴うリレー音の大きさをさらに低減し得る。
【００３９】
また、第１の実施形態に係る電池装置１０では、第１の平板部３４および第３の平板部３６は互いに平行である。このような構成により、電池装置１０では、第１の平板部３４、第２の平板部３５、および第３の平板部３６が略鞍型形状の連結部２９を形成し得る。したがって、電池装置１０は、連結部２９の鞍型形状の屈曲部分において振動を減衰し得るので、振動に伴うリレー音の大きさをさらに低減し得る。
【００４０】
次に、本発明の第２の実施形態に係る電池装置について説明する。第２の実施形態では第１のバスバおよび第３のバスバの形状が第１の実施形態と異なっている。以下に、第１の実施形態と異なる点を中心に第２の実施形態について説明する。なお、第１の実施形態と同じ構成を有する部位には同じ符号を付す。
【００４１】
図６、７に示すように、第２の実施形態に係る第１のバスバ２４０および第３のバスバ２６０の連結部２９０は、第１の実施形態と同じく、第１の平板部３４、第２の平板部３５、および第３の平板部３６０を有する。第１の平板部３４、第２の平板部３５、および第３の平板部３６０は、第１の実施形態と同じく、平板状である。
【００４２】
第１の平板部３４の板面は、第１の実施形態と同じく、少なくとも第１の方向に平行である。第１の平板部３４は、例えば第１の実施形態と同じく、第１の方向および第２の方向に平行な辺を有する略矩形である。
【００４３】
第２の平板部３５は、第１の実施形態と同じく、第１の平板部３４の第１の方向側の辺のいずこかにおいて第１の平板部３４に交差する。第２の平板部３５は、具体的には、第１の実施形態と同じく、第１の平板部３４に直交する。したがって、第２の平板部３５は、第１の実施形態と同じく、第１の平板部３４から第３の方向に延び、例えば、第２の方向および第３の方向に平行な辺を有する略矩形である。
【００４４】
図６に示すように、第１のバスバ２４０における、第２の平板部３５の第１の平板部３４における交差位置は、具体的には、第１の実施形態と同じく、第１の平板部３４の第１の方向側の辺の、第２の方向の逆方向側末端側の一部である。図７に示すように、第３のバスバ２６０における、第２の平板部３５の第１の平板部３４における交差位置は、具体的には、第１の実施形態と異なり、第１の平板部３４の第１の方向側の辺の略全体である。
【００４５】
図６、７に示すように、第３の平板部３６０は、第１の実施形態と同じく、第１の平板部３４と直結せずに、第２の平板部３５のいずれかの辺から、第１の方向の逆方向に延びる部分を少なくとも有する。第３の平板部３６０は、第１の実施形態と同じく、矩形である第２の平板部３５において、第１の平板部３４とは異なる辺から、第１の方向の逆方向に延びている。第３の平板部３６０は、具体的には、第２の平板部３５の第２の方向側の辺において第２の平板部３５に直交する。
【００４６】
第３の平板部３６０は、第１の実施形態と異なり、第１の平板部３４に非平行である。第３の平板部３６０は、具体的には、第１の実施形態と異なり、第１の平板部３４に垂直であり、第１の方向および第３の方向に平行な辺を有する略矩形である。
【００４７】
第１の端子部２７は、第１の実施形態と同じく、第１の平板部３４側から連結部２９０に電気的に結合する。第１の端子部２７は、第１の実施形態と同じく、第１の平板部３４および第２の平板部３５の接合部分以外の部分において、連結部２９０に結合する。
【００４８】
図６に示すように、第１のバスバ２４０における第１の端子部２７は、具体的には、第１の実施形態と異なり、第４の平板部３７０を介して、第１の平板部３４に結合する。第４の平板部３７０は、第１の平板部３４の第２の方向側の辺から第２の平板部３５と同じ方向、具体的には、第３の方向に延び且つ第２の方向に垂直である。第１の端子部２７は、第１の実施形態と異なり、第１の平板部３４と同一平面になく、平行である。
【００４９】
図７に示すように、第３のバスバ２６０における第１の端子部２７は、具体的には、第１の実施形態と同じく、第１の平板部３４に直結する。第１の端子部２７は、第１の実施形態と異なり、第１の平板部３４の第２の方向側の辺から、第２の平板部３５とは逆方向、具体的には第３の方向の逆方向に延び且つ第２の方向に垂直である。
【００５０】
図６、７に示すように、第２の端子部２８は、第１の実施形態と同じく、第３の平板部３６０側から、連結部２９０に電気的に結合する。第２の端子部２８の連結部２９０への電気的な結合は、第１の実施形態と異なり、間接的である。図６に示すように、第１のバスバ２４０においては、第２の端子部２８は、具体的には、第６の平板部３８０および第５の平板部３９０を介して、間接的に連結部２９０に結合する。図７に示すように、第３のバスバ２６０において、具体的には、第２の端子部２８は、第７の平板部４００を介して、間接的に連結部２９０に結合する。図６、７に示すように、第２の端子部２８は、第１の実施形態と同じく、第２の平板部３５および第３の平板部３６０の接合部分以外の部分において、連結部２９０に間接的に結合する。
【００５１】
図６に示すように、第１のバスバ２４０における第５の平板部３９０は、第３の平板部３６０に直結する。第５の平板部３９０は、第３の平板部３６０における、第１の方向の逆方向側の末端近傍において第３の方向の逆方向側の辺から第２の方向の逆方向に延びている。第５の平板部３９０は、第３の方向に垂直であり、例えば、第１の方向および第２の方向に平行な辺を有する略矩形である。
【００５２】
第６の平板部３８０は、第５の平板部３９０の、第２の方向の逆方向側の辺から第３の方向に延びている。第６の平板部３８０は、第２の方向に垂直である。第６の平板部３８０は、例えば、第１の方向および第３の方向に平行な辺を有する略矩形である。第６の平板部３８０は、第３の方向側の辺において、第２の端子部２８に直結する。第２の端子部２８は、第６の平板部３８０の第３の方向側の辺から、第２の方向の逆方向に延びており、第３の方向に垂直である。
【００５３】
図７に示すように、第３のバスバ２６０における第７の平板部４００は、第３の平板部３６０の第１の方向の逆方向側の辺から第２の方向の逆方向に延びている。第７の平板部４００は、第１の方向に垂直であり、例えば、第２の方向および第３の方向に平行な辺を有する略矩形である。第７の平板部４００は、第２の方向の逆方向側の辺において、第２の端子部２８に直結する。第２の端子部２８は、第７の平板部４００の第２の方向の逆方向側の辺から、第１の方向の逆方向に延びており、第２の方向に垂直である。
【００５４】
以上のような第２の実施形態に係る電池装置１０は、第１の実施形態と同じく、筐体１３の外表面に防振材２１を介して固定されているリレー１８と、リレー１８の接点端子２３に接続される第１の端子部２７および第１の端子部２７とは異なる高さ位置で当該接点端子２３以外の端子に接続される第２の端子部２８を有する補機用バスバ１２を含む。したがって、第２の実施形態に係る電池装置１０も、第１の実施形態と同じく、リレー１８が発する振動を減衰させるので、振動に伴うリレー音の大きさを低減し得る。また、第２の実施形態に係る電池装置１０では、第１の実施形態と同じく、補機用バスバ１２は、第１の平板部３４、第１の平板部３４の第１の方向側の辺において第１の平板部３４に交差する第２の平板部３５、および第１の平板部３４に直結せず且つ第２の平板部３５のいずれかの辺から第１の方向の逆方向に延びる部分を少なくとも含む第３の平板部３６０を有する連結部２９０と、平板状の、第１の端子部２７および第２の端子部２８とを有する。したがって、第２の実施形態に係る電池装置１０も、第１の実施形態と同じく、振動に伴うリレー音の大きさをいっそう低減し得る。
【００５５】
また、第２の実施形態に係る電池装置１０では、第３の平板部３６０は、第１の平板部３４に対して非平行である。このような構成により、第２の実施形態に係る電池装置１０は、三次元上でそれぞれが異なる方向に対向した第１の平板部３４から第３の平板部３６０のいずれかの面外方向の弾性変形により、第１の端子部２７から伝わる様々なモードの振動をさらに減衰させ得る。その結果、第２の実施形態に係る電池装置１０では、振動に伴うリレー音の大きさをいっそう低減し得る。
【００５６】
本発明は、その精神又はその本質的な特徴から離れることなく、上述した実施形態以外の他の所定の形態で実現できることは当業者にとって明白である。したがって、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【００５７】
例えば、第１の実施形態において、第１のバスバ２４および第３のバスバ２６では、第３の平板部３６は第１の方向に連続するが、このような構成に限定されない。例えば、図８から１０に示すように、第３の平板部３６１は第１の方向において分割され、第３の方向の逆方向に隆起する波形部４１１によって連結されている構成であってもよい。このような構成によれば、リレー１８が発する振動を波形部４１１においても減衰させ得るので、振動に伴うリレー音の大きさをいっそう低減し得る。
【００５８】
また、第１の実施形態において、第３のバスバ２６では、第１の平板部３４は、第２の方向に連続するが、このような構成に限定されない。例えば、図１０、１１に示すように、第１の平板部３４２は第２の方向において分割され、第３の方向の逆方向に隆起する波形部４２２によって連結されている構成であってもよい。このような構成によれば、リレー１８が発する振動を波形部４２２においても減衰させ得るので、振動に伴うリレー音の大きさをいっそう低減し得る。
【００５９】
また、第１の実施形態および第２の実施形態において、第１のバスバ２４および第３のバスバ２６のように、一部の補機用バスバ１２では、第１の平板部３４および第３の平板部３６は、第１の方向において重なる構成であるが、このような構成でなくてもよい。例えば、図１２から１６に示すように、第１の端子部２７および第２の端子部２８が、互いに平行且つ板面に垂直な方向においてずれている構成を少なくとも有していればよい。このような構成は、リレー１８の接点端子２３および当該接点端子２３以外の端子への接続において、第１の端子部２７および第２の端子部２８それぞれの筐体１３の表面に対する高さ位置を相違させ得る。
【００６０】
なお、図１２に示す、第１のバスバ２４３において、第１の端子部２７は、第１の方向および第２の方向に平行且つ同一平面上の第１の平板部３４の第２の方向側の末端において、第１の平板部３４に直結する。第１の平板部３４は、第２の方向の逆方向側の末端近傍において、第１の方向側の辺から、第１の方向および第２の方向に垂直な第３の方向に延びる第２の平板部３５に直結する。第２の平板部３５は第２の方向および第３の方向に平行である。第２の平板部３５は、第３の方向側の辺から第１の方向に延びる第３の平板部３６３に直結する。第３の平板部３６３は、第１の方向側の末端において、第２の方向の逆方向に折曲がった末端において、同一平面上の第２の端子部２８に直結する。
【００６１】
なお、図１３、１４に示す、第１のバスバ２４４、２４５において、第１の端子部２７は、第１の方向および第２の方向に平行且つ同一平面上の第１の平板部３４４の第２の方向側の末端において、第１の平板部３４４に直結する。第１の平板部３４４は、第２の方向の逆方向側の末端において、第１の方向に折曲がる。第１の平板部３４４の第１の方向に折曲がって延伸している部分は分割され、第１の方向および第２の方向に垂直な第３の方向に隆起する波形部４３４に連結されている。第１の平板部３４４は、第１の方向に折曲がって延伸している部分の第１の方向の末端近傍において、第２の方向の逆方向の辺から第３の方向に延びる第２の平板部３５４に直結する。第２の平板部３５４は、第２の方向に垂直である。第２の平板部３５４は、第３の方向の末端から第２の方向の逆方向に延び且つ第３の方向に垂直な第２の端子部２８に直結する。
【００６２】
なお、図１５に示す、第１のバスバ２４６では、図１４に示す第１のバスバ２４５と異なり、第１の平板部３４４の、第１の方向に折曲がって延伸し且つ分割されている部分は、第３の方向に隆起する波形部４３４および第３の方向の逆方向に隆起する波形部４２２に連結されている。
【００６３】
なお、図１６に示す、第３のバスバ２６３において、第１の端子部２７は、第３の方向側の辺から第１の端子部２７に垂直な第１の方向に延び且つ第３の方向に垂直な第１の平板部３４に直結する。第１の平板部３４は、第１の方向側の辺から第３の方向に延びる第２の平板部３５に直結する。第２の平板部３５は、第３の方向側の末端近傍の第１の方向および第３の方向に垂直な第２の方向側の辺において第２の端子部２８に直結する。
【００６４】
また、第１の実施形態および第２の実施形態において、第２のバスバ２５は、第１の端子部２７および第２の端子部２８が、互いに平行且つ板面に垂直な方向においてずれている構成を少なくとも有していればよい。このような構成は、リレー１８の接点端子２３および当該接点端子２３以外の端子への接続において、第１の端子部２７および第２の端子部２８それぞれの筐体１３の表面に対する高さ位置を相違させ得る。
【００６５】
なお、図１７に示す、第２のバスバ２５において、第１の端子部２７は、第１の方向側の末端において同一平面上の第１の平板部３４に直結する。第１の平板部３４は、第１の方向側の辺から第１の平板部３４に垂直な第３の方向に延びる第２の平板部３５に直結する。第２の平板部３５は、第３の方向側の辺から、第１の方向に延びる第３の平板部３６３に直結する。第３の平板部３６３は、第１の方向側の末端近傍において第１の方向および第３の方向に垂直な第２の方向側の辺において、同一平面上の第２の端子部２８に直結する。
【００６６】
このような第２のバスバ２５において、図１８、１９に示すように、第１の方向における第２の平板部３５の位置を変えてもよい。
【００６７】
また、第２のバスバ２５において、図２０に示すように、第３の平板部３６５は、第１の方向において分割され、且つ第３の方向の逆方向に隆起する波形部４１１によって連結されていてもよい。
【００６８】
また、第２のバスバ２５において、図２１に示すように、第３の平板部３６３は、第１の方向および第２の方向を合成した傾斜方向に延びていてもよい。第３の平板部３６３は、傾斜方向側の末端において、第２の端子部２８に直結してよい。
【符号の説明】
【００６９】
１０  電池装置
１１  リレー部
１２  補機用バスバ
１３  筐体
１４  ヒュージブルリンク
１５  出力端子用バスバ
１６  第１のリレー
１７  第２のリレー
１８  リレー
１９  組電池
２０  コントローラ
２１  防振材
２２  枠
２３  接点端子
２４、２４０、２４３、２４４、２４５、２４６  第１のバスバ
２５  第２のバスバ
２６、２６０、２６３  第３バスバ
２７  第１の端子部
２８  第２の端子部
２９、２９０  連結部
３０  組電池の第１の出力端子
３１  電池装置の第１の出力端子
３２  組電池の第２の出力端子
３３  電池装置の第２の出力端子
３４、３４２、３４４  第１の平板部
３５、３５４  第２の平板部
３６、３６０、３６１、３６３、３６５  第３の平板部
３７０  第４の平板部
３８０  第６の平板部
３９０  第５の平板部
４００  第７の平板部
４１１  分割された第３の平板部を連結する波形部
４２２  分割された第１の平板部を連結する、第３の方向の逆方向に隆起する波形部
４３４  分割された第１の平板部を連結する、第３の方向に隆起する波形部
ｕｓ  上面
【図１】
2019192409.tif 000003
【図２】
2019192409.tif 000004
【図３】
2019192409.tif 000005
【図４】
2019192409.tif 000006
【図５】
2019192409.tif 000007
【図６】
2019192409.tif 000008
【図７】
2019192409.tif 000009
【図８】
2019192409.tif 000010
【図９】
2019192409.tif 000011
【図１０】
2019192409.tif 000012
【図１１】
2019192409.tif 000013
【図１２】
2019192409.tif 000014
【図１３】
2019192409.tif 000015
【図１４】
2019192409.tif 000016
【図１５】
2019192409.tif 000017
【図１６】
2019192409.tif 000018
【図１７】
2019192409.tif 000019
【図１８】
2019192409.tif 000020
【図１９】
2019192409.tif 000021
【図２０】
2019192409.tif 000022
【図２１】
2019192409.tif 000023